(57)【要約】【課題】取り付けスペースを小型化した弾球遊技機の遊技球発射装置を提供する。【解決手段】本発明は、所定の遊技領域が設けられた遊技盤と、遊技盤を保持する枠部材とを備えて構成された弾球遊技機の遊技球発射装置であって、枠部材に取り付けられる板状のベースプレート１２１と、ベースプレート１２１に揺動可能に取り付けられ、揺動により遊技球を遊技領域に向けて打球発射するハンマ１１１と、ベースプレート１２１に取り付けられてハンマ１１１を揺動させるロータリソレノイド１１２と、ロータリソレノイド１１２の作動を制御する制御基板１１５とを備え、制御基板１１５は、ロータリソレノイド１１２を挿通させることが可能な挿通孔１１６を有し、挿通孔１１６にロータリソレノイド１１２を挿通させた状態で、制御基板１１５がベースプレート１２１に対して略平行に取り付けられている。【選択図】図６
2007089799.tif 000002
【特許請求の範囲】
【請求項１】
所定の遊技領域が設けられた遊技盤と、前記遊技盤を保持する枠部材とを備えて構成された弾球遊技機において、遊技球を前記遊技領域に向けて発射するように構成された弾球遊技機の遊技球発射装置であって、
前記枠部材に取り付けられる板状のベース部材と、
前記ベース部材に揺動可能に取り付けられ、揺動により遊技球を前記遊技領域に向けて打球発射するハンマと、
前記ベース部材に取り付けられて前記ハンマを揺動させるハンマ駆動装置と、
前記ハンマ駆動装置の作動を制御する制御基板とを備え、
前記制御基板は、前記ハンマ駆動装置を挿通させることが可能な挿通孔を有し、
前記挿通孔に前記ハンマ駆動装置を挿通させた状態で、前記制御基板が前記ベース部材に対して略平行に取り付けられていることを特徴とする弾球遊技機の遊技球発射装置。
【請求項２】
前記ハンマが前記ベース部材の前面側に取り付けられるとともに、前記ハンマ駆動装置および前記制御基板が前記ベース部材の背面側に取り付けられることを特徴とする請求項１に記載の弾球遊技機の遊技球発射装置。
【請求項３】
前記ベース部材は、前記制御基板より大きい金属板を用いて形成されることを特徴とする請求項１もしくは請求項２に記載の弾球遊技機の遊技球発射装置。
【発明の詳細な説明】
【技術分野】
【０００１】
本発明は、パチンコ機に代表される弾球遊技機の遊技球発射装置に関し、さらに詳しくは、遊技球発射装置の取り付け構造に関する。
【背景技術】
【０００２】
弾球遊技機の代表例であるパチンコ機は、前面に遊技領域を形成する遊技盤を立設姿勢で収容保持した前枠に、前背面に遊技球の処理経路を一体に設けるとともに背面に各種制御基板が取り付けられる裏セット盤を背面から取り付けて構成され、遊技球発射装置により遊技領域上部に導いた遊技球を落下させる過程で遊技領域内に設けた入賞装置に入賞させる遊技を行うように構成されている。
【０００３】
前枠の下部には一般的に上下２段の球皿が設けられており、このうち上球皿は横開き開閉可能に取り付けられている。上球皿の背後に位置する前枠の下部領域には遊技補助盤と称される補助機構部が設けられ、この遊技補助盤に遊技球発射装置が取り付けられる。前枠の下部には発射ハンドルが設けられており、遊技者が発射操作を行うと当該操作に基づいて上球皿に貯留された遊技球が１球ずつ遊技球発射装置の発射レール上に供給され、発射機構により遊技盤に向けて打ち出されるようになっている。
【０００４】
遊技球発射装置は、遊技球を打ち出す発射機構部と、打ち出された遊技球を遊技盤に案内する発射レール部とに大別される。発射機構部は、遊技球を打ち出すハンマと、このハンマを揺動駆動するロータリソレノイドと、発射ハンドルからの操作信号に基づいてロータリソレノイドの作動を制御する制御基板等から構成される（例えば、特許文献１を参照）。一方、発射レール部は、この発射レール部のアッセンブリベースとなり遊技補助盤の前面側にネジ固定されるベースプレートと、このベースプレートに取り付けられて斜めに延びる横断面がＶ字状の発射レール等から構成される。
【特許文献１】特開２００４−２７５２０６号公報
【発明の開示】
【発明が解決しようとする課題】
【０００５】
しかしながら、従来の遊技球発射装置では、発射レールやロータリソレノイド等がベースプレートに取り付けられるとともに、制御基板がベースプレートと別に遊技補助盤（前枠）の背面側に取り付けられているものがあり、遊技球発射装置の取り付けスペースが比較的大きくなっていた。
【０００６】
本発明は、このような問題に鑑みて成されたものであり、取り付けスペースを小型化した弾球遊技機の遊技球発射装置を提供することを目的とする。
【課題を解決するための手段】
【０００７】
このような目的達成のため、本発明は、所定の遊技領域が設けられた遊技盤と、遊技盤を保持する枠部材（例えば、実施形態における前枠２）とを備えて構成された弾球遊技機（例えば、実施形態におけるパチンコ機ＰＭ）において、遊技球を遊技領域に向けて発射するように構成された弾球遊技機の遊技球発射装置であって、枠部材に取り付けられる板状のベース部材（例えば、実施形態におけるベースプレート１２１）と、ベース部材に揺動可能に取り付けられ、揺動により遊技球を遊技領域に向けて打球発射するハンマと、ベース部材に取り付けられてハンマを揺動させるハンマ駆動装置（例えば、実施形態におけるロータリソレノイド１１２）と、ハンマ駆動装置の作動を制御する制御基板とを備え、制御基板は、ハンマ駆動装置を挿通させることが可能な挿通孔を有し、挿通孔にハンマ駆動装置を挿通させた状態で、制御基板がベース部材に対して略平行に取り付けられている。
【０００８】
また、上述の発明において、ハンマがベース部材の前面側に取り付けられるとともに、ハンマ駆動装置および制御基板がベース部材の背面側に取り付けられることが好ましい。
【０００９】
さらに、上述の発明において、ベース部材は、制御基板より大きい金属板を用いて形成されることが好ましい。
【発明の効果】
【００１０】
本発明によれば、制御基板に設けた挿通孔にハンマ駆動装置を挿通させた状態で、制御基板がベース部材に対して略平行に取り付けられているため、装置全体の厚みを増やすことなく、遊技球発射装置の広さを制御基板の分だけ小さくすることが可能となり、遊技球発射装置の取り付けスペースを小さくすることができる。
【００１１】
また、ハンマがベース部材の前面側に取り付けられるとともに、ハンマ駆動装置および制御基板がベース部材の背面側に取り付けられることで、弾球遊技機前面側からの制御基板に対する不正なアクセスを防止することができる。
【００１２】
さらに、ベース部材が制御基板より大きい金属板を用いて形成されることで、制御基板に誤作動を生じさせる電磁波が外部から制御基板に到達しにくくなり、電磁波に対するシールド効果を期待することができる。
【発明を実施するための最良の形態】
【００１３】
以下、本発明の好ましい実施形態について図面を参照しながら説明する。本発明に係る遊技球発射装置を備えた弾球遊技機の代表例としてパチンコ機ＰＭを図１〜図３に示しており、まず、これらの図面を参照しながらパチンコ機ＰＭの全体構成について要約説明する。ここで、図１はパチンコ機ＰＭを正面側から見た斜視図、図２はパチンコ機ＰＭのガラス扉および上球皿を開放して示す斜視図、図３はパチンコ機ＰＭを背面側から見た斜視図である。
【００１４】
パチンコ機ＰＭは、図１に示すように、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構３ａ，３ｂにより前方に横開き開閉及び着脱が可能に取り付けられ、正面右側に設けられた施錠装置４を利用して常には外枠１と係合連結された閉止状態に保持される。
【００１５】
前枠２の前面側上部には、ガラス扉５が前方に横開き開閉及び着脱可能に取り付けられ、施錠装置４を利用して常には前枠２の前面を覆う閉止状態に保持される。ガラス扉５の背後に位置する前枠上部には、後方から遊技盤１０を着脱可能に収容する収容枠が設けられており、この収容枠に立設姿勢で係止保持された遊技盤１０がガラス扉５を通して視認されるようになっている。
【００１６】
遊技盤１０は、図２に示すように、所定板厚の積層合板の表面にセルを貼り付けてルーター加工した化粧板１１を基板とし、内外のレール部１２，１３により囲まれて略円形状の遊技領域ＰＡが形成されるようになっている。遊技領域ＰＡには、何れも詳細図示省略するが、多数本の遊技釘とともに風車や各種の入賞装置、遊技の展開状況に応じた図柄を表示させる画像表示装置などの遊技構成部品が取り付けられ、遊技領域ＰＡの下端部にアウト口１８が設けられている。
【００１７】
外レール部１２は、前枠２側において下側が開いた円弧状に形成されており、遊技球発射装置１００から発射された遊技球を遊技領域ＰＡへ導くようになっている。内レール部１３は、右側が開いた円弧状に形成されており、遊技盤１０（化粧板１１）の前面において外レール部１２の左側部分に対し所定間隔を空けるように配設されることで、外レール部１２の左側部分との間に発射通路１５が形成されるようになっている。なお、この発射通路１５は、遊技球発射装置１００と遊技領域ＰＡとに通じており、遊技球が通過可能に構成されている。
【００１８】
前枠２の前面における上記ガラス扉５の下側には、遊技球を貯留する上球皿６がヒンジ機構（図示せず）により横開き開閉および着脱可能に取り付けられており、この上球皿６の下側には下球皿７および発射ハンドル８が取り付けられている。また、図２に示すように、上球皿６に前面側が覆われた前枠２の下部領域には遊技補助盤２０と称される補助機構部が形成されており、この遊技補助盤２０には、遊技盤１０の遊技領域ＰＡ内に遊技球を発射する遊技球発射装置１００等が設けられている。
【００１９】
前枠２の背面上部には、図３に示すように、外枠１の背面側における右上部内側の形状に合わせて逆Ｌ字形に形成された第１裏セット盤４０がヒンジ機構（図示せず）により横開き開閉および着脱可能に取り付けられ、常には前枠２の背面右上部を覆う閉鎖状態に保持される。第１裏セット盤４０には、遊技球を貯留するとともに貯留した遊技球を整列させて流下させる球貯留タンク４１、入賞状態等に基づいて遊技球を払い出す球払出装置４２、球払出装置４２から払い出された遊技球を上球皿６に導く球払出通路４３等の遊技球の処理機構が設けられている。
【００２０】
前枠２の背面下部には、前枠２の背面下部を覆う第２裏セット盤４５がヒンジ機構（図示せず）により横開き開閉および着脱可能に取り付けられ、常には前枠２の背面下部を覆う閉鎖状態に保持される。第２裏セット盤４５には、各制御装置および電子部品等に電力を供給する電源ユニット４６や、遊技球の払出作動を制御する球払出制御装置４７、パチンコ機ＰＭの作動を統括的に制御する主制御装置（図示せず）等が取り付けられており、これらが図示しないコネクタケーブルで接続されてパチンコ機ＰＭが作動可能に構成される。
【００２１】
パチンコ機ＰＭは、ガラス扉５、上球皿６、第１および第２裏セット盤４０，４５等が閉鎖施錠された状態で遊技に供され、上球皿６に遊技球を貯留させて発射ハンドル８を回動操作することにより遊技が開始される。発射ハンドル８が回動操作されると、上球皿６に貯留された遊技球は、上球皿６の裏面側に位置する遊技球発射装置１００により１球ずつ遊技領域ＰＡに打ち出され、パチンコゲームが展開される。
【００２２】
以上のように概略構成されるパチンコ機ＰＭにあって、前述したように、遊技補助盤２０には、本発明に係る遊技球発射装置１００が設けられている。そこで、遊技球発射装置１００について図４〜図６を追加参照しながら説明する。ここで、図４は遊技補助盤２０の正面拡大図、図５は遊技球発射装置１００の背面図、そして図６は遊技球発射装置１００の側断面図である。
【００２３】
遊技球発射装置１００は、その構成を大別すると、図４に示すように、遊技球を打ち出す発射機構部１１０と、打ち出された遊技球を外レール部１２（発射通路１５）に案内する発射レール部１２０とに分類される。発射機構部１１０は、遊技球を打ち出すハンマ１１１と、ハンマ１１１を揺動駆動するロータリソレノイド１１２と、ハンマ１１１を受け止めるクッションゴム１１４と、操作ハンドル８からの操作信号に基づいてロータリソレノイド１１２の作動を制御する制御基板１１５等から構成される。
【００２４】
一方、発射レール部１２０は、遊技補助盤２０の前面側にネジ固定により取り付けられるベースプレート１２１と、このベースプレート１２１に取り付けられて斜めに延びる横断面がＶ字状の発射レール１２２と、発射レール１２２のレール面と対向して設けられ遊技球を発射レール１２２の傾斜下端に位置する打撃位置に留置する発射球ホルダ１２３等から構成される。ベースプレート１２１は、例えば薄板状の鋼板を切断および孔あけ加工し所要の表面処理を施して形成される。
【００２５】
ベースプレート１２１の前面側には、発射レール１２２や発射球ホルダ１２３、発射機構部１１０のクッションゴム１１４等が取り付けられる。なお、発射レール１２２は、右下端における遊技球の打撃位置から発射通路１５に向けて（すなわち外レール部１２の下端近傍のレール面よりも上方に向けて）左斜め上方へ延びるように取り付けられる。一方、図５および図６に示すように、ベースプレート１２１の背面側には、ロータリソレノイド１１２や制御基板１１５等が取り付けられる。
【００２６】
ロータリソレノイド１１２は、ネジ等の固定手段を用いてベースプレート１２１の背面側に取り付けられ、図６に示すように、本体部分がベースプレート１２１の背面側に突出している。その一方で、ロータリソレノイド１１２の可動鉄芯１１３は、ベースプレート１２１に形成された穴部（図示せず）を通過してベースプレート１２１の前面側に達するように構成されており、この可動鉄芯１１３にハンマ１１１が連結されるようになっている。このようにして、ハンマ１１１はベースプレート１２１の前面側に取り付けられ、ロータリソレノイド１１２の作動により、可動鉄芯１１３を揺動軸としてベースプレート１２１の前面側で揺動するようになっている。
【００２７】
制御基板１１５は、図５に示すように、中央にロータリソレノイド１１２を挿通させることが可能な挿通孔１１６を有する板状に形成され、ＩＣ等の各種電子部品が配設されるとともにロータリソレノイド１１２と電気的に接続されて、操作ハンドル８からの操作信号に基づきロータリソレノイド１１２の作動を制御するように構成される。そして、制御基板１１５は、図６に示すように、スペーサ１１７，１１７を用いて、挿通孔１１６にロータリソレノイド１１２の本体部を挿通させた状態で、ベースプレート１２１に対して略平行に取り付けられている。なお、図６に示すように、ベースプレート１２１の背面側には、ＡＢＳ樹脂等の透明樹脂材料を用いて形成された箱状のカバー部材１２５がロータリソレノイド１１２や制御基板１１５等を覆うように取り付けられており、制御基板１１５に対する不正なアクセスを防止している。
【００２８】
ところで、遊技球発射装置１００の左側に位置する遊技補助盤２０の前面中央部には、図４に示すように、補助盤カバー３１が取り付けられている。そして、補助盤カバー３１の背後では、発射レール１２２の上端部と外レール部１２の下端部との間に上方に開くファール球回収口３２が形成されるとともに、その下側に繋がってファール球回収口３２に落入したファール球を流下させるファール球回収通路３３が下方に延びて形成されている。
【００２９】
また、遊技補助盤２０の前面左側には、上球皿６から溢れ出た遊技球を流下させる溢れ球通路３５が形成されており、下流部が補助盤カバー３１の背面側でファール球回収通路３３と繋がるようになっている。このように、ファール球回収通路３３と溢れ球通路３５とは遊技補助盤２０の前面中央下部で合流し、図１および図４に示すように、上面及び前面が開放された箱状の下球皿連絡バケット３６を介して下球皿７に繋がっている。
【００３０】
このように構成されるパチンコ機ＰＭの遊技球発射装置１００において、制御基板１１５は、前述したように、挿通孔１１６にロータリソレノイド１１２の本体部を挿通させた状態で、ベースプレート１２１に対して略平行に取り付けられている。これにより、装置全体の厚みを増やすことなく、遊技球発射装置１００の広さを制御基板１１５の分だけ小さくすることが可能となり、遊技球発射装置１００の取り付けスペースを小さくすることができる。また、ハンマ１１１がベースプレート１２１の前面側に取り付けられるとともに、ロータリソレノイド１１２および制御基板１１５がベースプレート１２１の背面側に取り付けられることで、例えば、針金等の異物を上球皿６と前枠２との間隙部から挿入したとしても、ベースプレート１２１の背後に位置する制御基板１１５に到達するのは困難であることから、パチンコ機ＰＭ前面側からの制御基板１１５に対する不正なアクセスを防止することができる。
【００３１】
なお、発射ハンドル８が回動操作されると、操作ハンドル８からの操作信号に基づいて制御基板１１５がロータリソレノイド１１２にソレノイド作動信号を出力する。制御基板１１５からソレノイド作動信号が出力されると、ロータリソレノイド１１２が作動して可動鉄芯１１３が回転し、それに伴って可動鉄芯１１３と連結されたハンマ１１１が揺動して発射レール１２２の所定打撃位置に留置された遊技球を遊技領域ＰＡに向けて打球発射する。
【００３２】
このようにして、上球皿６から発射レール１２２に送り出された遊技球がハンマ１１１により打ち出されると、ハンマ１１１に打ち出された遊技球が発射レール１２２上を通過して、発射レール１２２の上端部からファール球回収口３２を飛び越えて外レール部１２の下端近傍のレール面上に達し、そのまま外レール部１２に沿って発射通路１５を通過し遊技領域ＰＡに導かれる。ハンマ１１１に打ち出された遊技球のうち、遊技領域ＰＡに到達した遊技球は、遊技領域内に打ち込まれた多数本の遊技釘や風車に弾かれながら遊技領域ＰＡを転動落下し、落下過程で入賞装置に落入して化粧板１１の裏面側に導かれ、あるいは入賞装置に落入することなく落下してアウト口１８から化粧板１１の裏面側に導かれ、図示省略する遊技済み球排出通路を通って球排出口（図示せず）から遊技施設の球回収装置に排出される。
【００３３】
一方、ハンマ１１１に打ち出された遊技球のうち、遊技領域ＰＡに到達できずに外レール１２に沿って戻ってきた遊技球は、発射レール１２２に到達することなくファール球回収口３２に落入して、ファール球回収通路３３を通過したのち下球皿連絡バケット３６を通過し下球皿７に導かれる。
【００３４】
以上に説明した本発明の実施形態において、達成される主要な効果を整理すれば、下記のようになる。
【００３５】
第１に、制御基板１１５に設けた挿通孔１１６にロータリソレノイド１１２を挿通させた状態で、制御基板１１５がベースプレート１２１に対して略平行に取り付けられているため、装置全体の厚みを増やすことなく、遊技球発射装置１００の広さを制御基板１１５の分だけ小さくすることが可能となり、遊技球発射装置１００の取り付けスペースを小さくすることができる。
【００３６】
第２に、ハンマ１１１がベースプレート１２１の前面側に取り付けられるとともに、ロータリソレノイド１１２および制御基板１１５がベースプレート１２１の背面側に取り付けられることで、パチンコ機ＰＭ前面側からの制御基板１１５に対する不正なアクセスを防止することができる。
【００３７】
なお、上述の実施形態において、図５の二点鎖線で示すように、金属製のベースプレート１２１を制御基板１１５より大きく形成するようにしてもよい。このようにすれば、制御基板１１５に誤作動を生じさせる電磁波が外部から制御基板１１５に到達しにくくなり、電磁波に対するシールド効果を期待することができる。
【００３８】
また、上述の実施形態において、本発明におけるハンマ駆動装置としてロータリソレノイド１１２が用いられているが、これに限られるものではなく、例えば、パルスモータやサーボモータ、ＡＣモータやＤＣモータ等を用いるようにしてもよい。
【００３９】
さらに、上述の実施形態において、本発明に係る弾球遊技機の一例であるパチンコ機ＰＭを例に説明したが、これに限られるものではなく、例えば、アレンジボール機や雀球遊技機等の弾球遊技機にも本発明を適用することができる。
【図面の簡単な説明】
【００４０】
【図１】本発明に係る遊技球発射装置を備えた弾球遊技機の一例であるパチンコ機を正面側から見た斜視図である。
【図２】上記パチンコ機のガラス扉および上球皿を開放して示す斜視図である。
【図３】上記パチンコ機を背面側から見た斜視図である。
【図４】遊技補助盤の正面拡大図である。
【図５】遊技球発射装置の背面図である。
【図６】遊技球発射装置の側断面図である。
【符号の説明】
【００４１】
ＰＭ  パチンコ機（弾球遊技機）
ＰＡ  遊技領域
１  外枠
２  前枠（枠部材）
１０  遊技盤
１００  遊技球発射装置
１１０  発射機構部
１１１  ハンマ
１１２  ロータリソレノイド（ハンマ駆動装置）
１１５  制御基板
１１６  挿通孔
１２０  発射レール部
１２１  ベースプレート（ベース部材）
【図１】
2007089799.tif 000003
【図２】
2007089799.tif 000004
【図３】
2007089799.tif 000005
【図４】
2007089799.tif 000006
【図５】
2007089799.tif 000007
【図６】
2007089799.tif 000008